(57)【要約】【課題】軽量化且つ連動性が高いラケットの提供。【解決手段】グリップ端から所定の方向に沿って受入端２１まで延伸する上、受入端２１に、受入空間を囲むと共に受入端２１が臨む側に向かって開口する周壁２２を有し、周壁２２に、開口２２０の周縁から切り込まれる２つの嵌合凹部２１２が、所定の方向Ａの両側にそれぞれ形成されている、シャフト２と、互いに向き合って配置形成されている、２つの取付け端３１と、湾曲されている湾曲本体部３２とを有するように構成されている、フレーム３と、シャフト２の開口２２０に嵌め込まれていると共に、２つの嵌合凹部２１２をそれぞれ挿通してからフレーム３が有する２つの取付け端３１にそれぞれ接続されるように、所定の方向Ａと略直交に延伸する第１の接続部４１を有するように構成されている、スロート４と、を備えるように構成されていることを特徴とするラケット。【選択図】図３
2017086861.tif 000002
【特許請求の範囲】
【請求項１】
手で握れるグリップが形成されているグリップ端から所定の方向に沿って受入端まで延伸する棒状体に形成され、前記受入端は、前記受入端が臨む側に向かって開口する周壁を有し、前記周壁に、前記開口の周縁から切り込まれる２つの嵌合凹部が、前記所定の方向と直交する方向に沿って向き合うようにそれぞれ形成されている、シャフトと、
互いに向き合って配置形成されている２つの取付け端と、前記２つの取付け端における一方から他方まで環状に延伸するように形成されている湾曲本体部と、を有するように構成されている、フレームと、
前記シャフトの前記開口に嵌め込まれると共に、前記２つの嵌合凹部をそれぞれ挿通してから前記フレームが有する２つの前記取付け端にそれぞれ接続されるように、前記所定の方向と直交に延伸する第１の接続部を有するように構成されている、スロートと、
を備えるように構成されている、
ことを特徴とする、ラケット。
【請求項２】
前記フレームが有する前記２つの取付け端には、互いに向き合って開口する接続孔がそれぞれ形成されており、
前記スロートが有する前記第１の接続部は、前記第１の接続部の延伸方向と直交する断面がＵ字型になる半管状に形成されていると共に、両端が、前記フレームが有する前記２つの取付け端にそれぞれ形成されている前記接続孔内に挿し込まれている、
ことを特徴とする、
請求項１に記載のラケット。
【請求項３】
前記スロートは、前記第１の接続部から前記所定の方向に沿って前記シャフトの前記開口内に挿し込んで前記グリップ端側へ延伸する第２の接続部を更に有している、
ことを特徴とする、
請求項２に記載のラケット。
【請求項４】
前記第２の接続部は、前記第１の接続部に連通する連通孔が開くように、中空に形成されている、
ことを特徴とする、
請求項３に記載のラケット。
【請求項５】
前記シャフトが有する前記受入端と、
前記フレームが有する前記２つの取付け端と、
前記スロートが有する前記第１の接続部の前記受入端及び前記２つの取付け端の外に露出している部分と、
を包むように固定されている強化材を、更に備えるように構成されている、
ことを特徴とする、
請求項１〜請求項４のいずれか一項に記載のラケット。
【請求項６】
前記シャフトと前記フレームと前記強化材とは、炭素繊維により構成されており、前記スロートは、金属、プラスチック及び炭素繊維からなる群より選ばれる材料により構成されている、
ことを特徴とする、
請求項５に記載のラケット。
【発明の詳細な説明】
【技術分野】
【０００１】
本発明はラケットに関し、具体的には、球技でボールやシャトルを打つために使用するラケットに関する。
【背景技術】
【０００２】
球技で使用する従来のラケットは、例えば、特許文献１に記載されるものが挙げられる。図１及び図２は、該特許文献１に開示されるラケットの構成を示す説明図であり、図示されるように、フレーム１１と、シャフト１２と、スロート１３と、により構成されているラケットが記載されている。フレーム１１は、互いに向き合って開口する接続孔がそれぞれ形成されている２つの取付け端１１１を有するように構成されている。シャフト１２は、手で握れるグリップが形成されているグリップ端（図示せず）と、該グリップ端の反対端であり、開口する受入端１２１と、を有するように構成されている。スロート１３は、両端がフレーム１１の２つの取付け端１１１のそれぞれに挿入して接続できる第１の接続部１３１と、第１の接続部１３１からシャフト１２の受入端１２１に挿入して接続できるように延伸する第２の接続部１３２と、を有するように構成されている。
【０００３】
しかし、このようなラケットのスロート１３は、通常中実に形成されているので、重量が重く、ラケットの重心がグリップ寄りのラケットを製造する場合には、グリップの重量を増加しなければならないので、ラケット全体の重量が重くなる問題点がある。また、中実のスロート１３は、中空に構成されているシャフト１２及びフレーム１１との剛性の差が大きすぎて、シャフト１２とフレーム１１との間の連動性が低下するという欠点がある。
【先行技術文献】
【特許文献】
【０００４】
【特許文献１】台湾特許公告第４３１１９９号明細書
【発明の概要】
【発明が解決しようとする課題】
【０００５】
上記問題点に鑑みて、本発明は、スロートの重量が従来より軽く、且つ、シャフトとフレームとの間の連動性が従来より高い、ラケットの提供を目的とする。
【課題を解決するための手段】
【０００６】
上記目的を達成すべく、本発明は、手で握れるグリップが形成されているグリップ端から所定の方向に沿って受入端まで延伸する棒状体に形成され、受入端は、該受入端が臨む側に向かって開口する周壁を有し、この周壁に、開口の周縁から切り込まれる２つの嵌合凹部が該所定の方向と直交する方向に沿って向き合うようにそれぞれ形成されているシャフト、互いに向き合って配置形成されている２つの取付け端と、この２つの取付け端における一方から他方まで略環状に延伸するように形成されている湾曲本体部とを有するフレーム、及び、シャフトの開口に嵌め込まれると共に、２つの嵌合凹部をそれぞれ挿通してからフレームが有する２つの上記取付け端にそれぞれ接続されるように、該所定の方向と略直交に延伸する第１の接続部を有するように構成されているスロート、を備えるように構成されていることを特徴とする、ラケットを提供する。
【発明の効果】
【０００７】
上記構成により、本発明のラケットは、シャフトの受入端にスロートと接続する２つの嵌合凹部が形成されているので、スロートの体積及び質量を大きく削減することができるようになり、ラケット全体の重量も、従来より大幅に軽くなる。
【図面の簡単な説明】
【０００８】
【図１】従来のラケットの部分分解図である。
【図２】図１に示す部品が互いに接続されていることを示す部分断面図である。
【図３】本発明のラケットの第１の実施形態の部分分解図である。
【図４】図３に示す部品が互いに接続されていることを示す部分断面図である。
【図５】本発明のラケットの第２の実施形態の部分分解図である。
【図６】図５に示す部品が互いに接続されていることを示す部分断面図である。
【図７】上記実施形態のラケットが組み合わされた状態を示す部分斜視図である。
【図８】本発明のラケットの第３の実施形態の部分分解図である。
【図９】図８に示す部品が互いに接続されていることを示す部分断面図である。
【発明を実施するための形態】
【０００９】
以下、各図面を参照しながら、本発明の各実施形態について詳しく説明する。
【００１０】
＜第１の実施形態＞
図３は、本発明のラケットの第１の実施形態の部分分解図であり、図４は、図３に示す部品が互いに接続されている状態を示す部分断面図である。
【００１１】
本発明のラケットは、図３に示されるように、シャフト２と、フレーム３と、スロート４と、を備えるように構成されている。
【００１２】
シャフト２は、手で握れるグリップが形成されているグリップ端（図示せず）から所定の方向Ａに沿って受入端２１まで延伸する棒状体に形成され、受入端２１は、受入端２１が臨む側に向かって開口する周壁２２を有し、周壁２２に、開口２２０の周縁から切り込まれる２つの嵌合凹部２１２が、所定の方向Ａと直交する方向に沿って互いに向き合うようにそれぞれ形成されている。
【００１３】
フレーム３は、互いに向き合って配置されるように形成された２つの取付け端３１と、２つの取付け端３１における一方から他方まで略環状に延伸するように形成されている湾曲本体部３２と、を有するように構成されている。
【００１４】
スロート４は、シャフト２の開口２２０に嵌め込まれていると共に、２つの嵌合凹部２１２にそれぞれ挿通してから、フレーム３が有する２つの取付け端３１にそれぞれ接続されるように、所定の方向Ａと略直交に延伸する第１の接続部４１を有するように構成されている。
【００１５】
この実施形態において、図３に示されるように、フレーム３が有する２つの取付け端３１には、互いに向き合って開口する接続孔３１０がそれぞれ形成されている。
【００１６】
スロート４が有する第１の接続部４１は、シャフト２の内部に連通する連通孔４３１が形成され、第１の接続部４１の延伸方向と直交する方向の断面が、略Ｕ字型になる半管状に形成されていると共に、両端が、フレーム３が有する２つの取付け端３１にそれぞれ形成されている接続孔３１０内に挿し込まれている。なお、第１の実施形態においては、連通孔４３１を形成しなくても差し支えない。
【００１７】
更に、この実施形態のラケットは、シャフト２が有する受入端２１と、フレーム３が有する２つの取付け端３１と、スロート４が有する第１の接続部４１の受入端２１及び２つの取付け端３１の外に露出している部分と、を包むように固定されている、強化材５を備えるように構成されている。シャフト２とフレーム３と強化材５とスロート４とは、例えば炭素繊維により構成されている。
【００１８】
この実施形態のラケットの製造工程は、図３及び図４に示されるように、先ず、スロート４が有する第１の接続部４１を、シャフト２が有する２つの嵌合凹部２１２に設置すると共に、第１の接続部４１の両端を、フレーム３が有する２つの接続孔３１０内に挿し込んだ後、通気管を、連通孔４３１を経由して、半管状に形成されている第１の接続部４１を挿穿してから、通気管に空気を流し込んで通気管を膨張させ、膨張されている通気管がスロート４の内周壁をフレーム３に圧迫することにより、スロート４とフレーム３とが更に固く接続されている。
【００１９】
そして、強化材５としての炭素繊維布で、シャフト２が有する受入端２１と、フレーム３が有する２つの取付け端３１と、第１の接続部４１の受入端２１及び２つの取付け端３１の外に露出している部分と、を包む。そして、金型で該炭素繊維布を加熱硬化することにより、シャフト２とフレーム３とスロート４とを互いに固定して、この実施形態のラケットを作成する。
【００２０】
上記の構成によれば、スロート４が第１の接続部４１の延伸方向と直交する方向の断面が略Ｕ字型になる半管状に形成され、且つ、従来のラケットのスロート４と比べて、シャフト２に挿し込む第２の接続部を有しないので、従来のラケットのスロートより大幅に軽量化できる。また、ラケットの重心がグリップ寄りのラケットを製造する場合にも、グリップの重量を増加しなくて済めるので、ラケット全体の重量が重くなる問題点が解消できる。
【００２１】
また、スロート４が２つの嵌合凹部２１２を挿通するようにシャフト２の受入端２１に設置されているので、シャフト２を握ってスイングする際に、２つの嵌合凹部２１２が直接スロート４の第１の接続部を挟んで、スロート４を動かすことにより、フレーム３もシャフト２とスロート４の動きに連動して動くので、図１に示す従来のラケットのように、シャフト１２がスロート１３の第２の接続部１３２を動かしてから、第２の接続部１３２が第１の接続部１３１を動かす構成よりも、フレーム３への連動性が向上する。
【００２２】
また、スロート４は、炭素繊維により構成され、且つ、略Ｕ字型になる半管状に形成されているので、スロート４は、中空に構成されているシャフト２及びフレーム３との剛性の差がほぼなくなって、シャフト２とフレーム３との間の連動性は、従来のラケットより向上できる。
【００２３】
＜第２の実施形態＞
図５は、本発明のラケットの第２の実施形態の部分分解図であり、図６は、図５に示す部品が互いに接続されていることを示す部分断面図であり、図７は、上記実施形態のラケットが組み合わされた状態を示す断面図である。
【００２４】
本発明の第２の実施形態は、上記第１の実施形態とほぼ同じ構成を有するので、ここでは詳しい説明を省略し、その相違点のみを説明する。
【００２５】
この実施形態において、シャフト２は金属により構成されている。
【００２６】
スロート４は、図５に示されるように、第１の接続部４１から所定の方向Ａに沿ってシャフト２の開口２２０内に挿し込んでグリップ端側へ延伸する第２の接続部４２を、更に有している。
【００２７】
第２の接続部４２は、第１の接続部４１に連通する連通孔４３１が開くように、中空に形成されている。
【００２８】
シャフト２は、嵌合凹部２１２の周壁に形成された２つの嵌合プレート２１１を有している。２つの嵌合プレート２１１は、スロート４の第１の接続部４１の高さより長く形成されている。そして、強化材を使用しない。
【００２９】
この実施形態のラケットの製造工程は、図５及び図６に示されるように、スロート４の第１の接続部４１の両端が、フレーム３の接続孔３１０に挿し込まれ、且つ、スロート４の第２の接続部４２が、シャフト２の開口２２０内に挿し込まれた後、通気管が、連通孔４３１を経由して、半管状に形成されている第１の接続部４１及び中空に形成されている第２の接続部４２を挿穿した後、通気管に空気を入れることにより通気管を膨張させ、膨張されている通気管がスロート４の内周壁を圧迫することにより、スロート４の外周壁でシャフト２またはフレーム３の内周壁を圧迫し、スロート４とシャフト２及びフレーム３とが更に固く接続される。
【００３０】
そして、図７に示されるように、強化材５の代わりに、２つの嵌合プレート２１１におけるスロート４の第１の接続部４１の高さより長い部分のそれぞれを、第１の接続部４１の略Ｕ字型の２つの頂端を包むように湾曲させて、シャフト２をスロート４に固定することにより、この実施形態のラケットを得る。
【００３１】
上記の構成よれば、スロート４の第１の接続部４１は、延伸方向と直交する断面が略Ｕ字型になる半管状に形成され、且つ、第２の接続部は、中空に形成されているので、従来のラケットのスロートより大幅に軽量化される。ラケットの重心がグリップ寄りのラケットを製造する場合にも、グリップの重量を増加しなくて済むので、ラケット全体の重量が重くなる問題点が解消できる。
【００３２】
また、シャフト２の２つの嵌合プレート２１１の、スロート４の第１の接続部４１の高さより長い部分のそれぞれが、第１の接続部４１の略Ｕ字型の２つの頂端を包むように湾曲されて、シャフト２をスロート４に固定することにより、シャフト２は、より固くスロート４に固定されると共に、連動性が従来のラケットより向上する上に、更に、強化材５を省略することができる。
【００３３】
なお、スロート４の第２の接続部がシャフト２に挿入されるので、所定の方向Ａと直交する方向に沿って、スロートがずれることを防止できる。
【００３４】
＜第３の実施形態＞
図８は、本発明のラケットの第３の実施形態の部分分解図であり、図９は、図８に示す部品が互いに接続されていることを示す部分断面図である。
【００３５】
本発明の第３の実施形態は、上記第２の実施形態とほぼ同じ構成を有するので、ここでは詳しい説明を省略し、その相違点のみを説明する。
【００３６】
図８及び図９に示されるように、強化材５を使用して、シャフト２とフレーム３とスロート４とを固定するので、シャフト２の２つの嵌合プレート２１１の長さは、スロート４の第１の接続部４１の高さと略同じ長さに形成しても良い。従って、この実施形態において、嵌合プレート２１１の長さは、スロート４の第１の接続部４１の高さと略同じ長さに形成している。また、シャフト２とフレーム３と強化材５とスロート４とは、炭素繊維により構成されている。
【００３７】
この実施形態のラケットの製造工程は、スロート４の第１の接続部４１の両端が、フレーム３の接続孔３１０に挿し込まれ、且つ、スロート４の第２の接続部４２が、シャフト２の開口２２０内に挿し込まれた後、通気管が、連通孔４３１を経由して半管状に形成されている第１の接続部４１及び中空に形成されている第２の接続部４２を挿穿した後、通気管に空気を入れることにより通気管を膨張させ、膨張されている通気管がスロート４の内周壁を圧迫することにより、スロート４の外周壁でシャフト２またはフレーム３の内周壁を圧迫し、スロート４とシャフト２及びフレーム３とが更に固く接続される。
【００３８】
そして、強化材５としての炭素繊維布で、シャフト２が有する受入端２１と、フレーム３が有する２つの取付け端３１と、第１の接続部４１の受入端２１及び２つの取付け端３１外に露出している部分と、を包む。そして、金型で該炭素繊維布を加熱硬化することにより、シャフト２とフレーム３とスロート４とを互いに固定して、この実施形態のラケットを得る。
【００３９】
上記の構成よれば、強化材５を使用してシャフト２とフレーム３とスロート４とを固定するので、第２の実施形態のように折り曲げられる金属を使用してシャフト２を構成しなくても、シャフト２とフレーム３とスロート４とを固定でき、また、重量が軽く、強度が高い炭素繊維を使用して、シャフト２を構成することができる。他の第１及び第２の実施形態と同じく、軽量化且つ連動性が向上できる。
【産業上の利用可能性】
【００４０】
本発明のラケットは、球技で使用するボールやシャトルを打つために使用するラケットとして利用でき、ラケットが軽く、且つ連動性が向上するので、ラケットを素早くスイングする球技に特に好適である。
【符号の説明】
【００４１】
Ａ    所定の方向
２    シャフト
３    フレーム
４    スロート
２１    受入端
２１１    嵌合プレート
２１２    嵌合凹部
２２    周壁
２２０    開口
３１    取付け端
３１０    接続孔
３２    湾曲本体部
４１    第１の接続部
４２    第２の接続部
４３１    連通孔
５    強化材
【図１】
2017086861.tif 000003
【図２】
2017086861.tif 000004
【図３】
2017086861.tif 000005
【図４】
2017086861.tif 000006
【図５】
2017086861.tif 000007
【図６】
2017086861.tif 000008
【図７】
2017086861.tif 000009
【図８】
2017086861.tif 000010
【図９】
2017086861.tif 000011